(57)【要約】【課題】使用を継続した場合であっても袋状の空気収納部が円滑に膨らむことが可能なトイレ装置を提供すること。【解決手段】この移動式トイレ装置１０においては、空気収納部であるエアバッグ３２は、可撓性のあるシート状材料によって袋状に形成されており、エアバッグ３２の内壁同士が密着しないように、エアバッグ３２が萎んだ場合における形態を調整する内壁密着防止手段としての支持トレイ３４を設ける。【選択図】図３
2014070334.tif 000002
【特許請求の範囲】
【請求項１】
汚物を洗浄水と共に汚水として攪拌し、流動性を高めた状態で圧送して排出するトイレ装置において、
便器本体から排出された前記汚水を貯留する汚水貯留槽と、
前記汚水貯留槽内と連通し、前記汚水貯留槽内に汚水を流入させる際に前記汚水貯留槽内の空気の一部を排出する空気排出部と、
前記空気排出部から排出された空気を内部の容積を変化させて収納する空気収納部と、を備え、
前記空気収納部は、可撓性のあるシート状材料によって袋状に形成されており、
前記空気収納部の内壁同士が密着しないように、前記空気収納部内の水分若しくは前記空気収納部が萎んだ場合における形態を調整する内壁密着防止手段を設ける、
ことを特徴とするトイレ装置。
【請求項２】
前記内壁密着防止手段は、前記空気収納部の内部に発生した結露水を、前記空気収納部が萎んだ状態で前記空気排出部を経由して前記汚水貯留槽に排水するのを誘導する排水誘導手段を有する、
ことを特徴とする請求項１に記載のトイレ装置。
【請求項３】
前記排水誘導手段は、前記空気収納部の底面に前記空気排出部に向けて勾配が形成されるものであることを特徴とする請求項２に記載のトイレ装置。
【請求項４】
前記勾配は、前記空気収納部の底面の中央側よりも周囲側の方が大きいことを特徴とする請求項３に記載のトイレ装置。
【請求項５】
前記排水誘導手段は、前記空気収納部が萎んだ状態において前記空気収納部の底面に前記空気排出部に向けて勾配が形成されるように、前記空気収納部を支持する支持部材を設けてなることを特徴とする請求項２又は請求項３のトイレ装置。
【請求項６】
前記支持部材は、前記空気収納部の底面を支持する支持トレイであることを特徴とする請求項４のトイレ装置。
【請求項７】
前記空気排出部は、前記空気収納部の底面の中央に１つ設けられることを特徴とする請求項３乃至請求項６の何れか１項に記載のトイレ装置。
【発明の詳細な説明】
【技術分野】
【０００１】
本発明は、トイレ空間以外の場所に設置可能なトイレ装置に関し、より具体的には、例えば、トイレ空間以外の場所で用を足さなければならない高齢者や病人等が使用する水洗トイレ装置、及びその排水システムに関する。
【背景技術】
【０００２】
従来、トイレ装置は予め設計施工されたトイレ空間に設置されるものであって、そのトイレ空間の場所によって適切な排水管の勾配や口径等が定められ、汚物や尿（屎尿）を含む汚水を下水系統へと排出するように構成されていた。その一方で、トイレ空間以外の場所で用を足さなければならない高齢者や病人等に対応するため、トイレ空間以外の場所に設置可能なトイレ装置が提案されている。
【０００３】
このようなトイレ装置では、汚水貯留槽に一時的に汚水を溜めて、その汚水を撹拌処理するなどしてから流すようにしている。そのため、汚水貯留槽の内圧を常時ほぼ一定に保つため、内圧調整装置として汚水貯留槽内部に連通した圧力調整袋を設けている（下記特許文献１参照）。
【先行技術文献】
【特許文献】
【０００４】
【特許文献１】特開２００５−１５５２５６号公報
【発明の概要】
【発明が解決しようとする課題】
【０００５】
しかしながら、本発明者の検討によれば、上記従来の技術のような圧力調整袋を設けたとしても、トイレ装置の使用を継続していくと圧力調整袋が円滑に膨らまない場合があることを見出した。圧力調整袋は、汚水を汚水貯留槽に流しこむ際に円滑に膨らんで汚水貯留槽の内圧を調整すべきものであるが、必要なときに円滑に膨らまなければ便器本体からの汚水の流入が阻害され、トイレ装置本来果たすべき役割が果たせなくなる恐れがある。
【０００６】
本発明はこのような課題に鑑みてなされたものであり、その目的は、汚水貯留槽内部に連通された袋状の空気収納部を備えたトイレ装置であって、使用を継続した場合であっても袋状の空気収納部が円滑に膨らむことが可能なトイレ装置を提供することにある。
【課題を解決するための手段】
【０００７】
上記課題を解決するために本発明に係るトイレ装置は、汚物を洗浄水と共に汚水として攪拌し、流動性を高めた状態で圧送して排出するトイレ装置であって、（１）便器本体から排出された前記汚水を貯留する汚水貯留槽と、（２）前記汚水貯留槽内と連通し、前記汚水貯留槽内に汚水を流入させる際に前記汚水貯留槽内の空気の一部を排出する空気排出部と、（３）前記空気排出部から排出された空気を内部の容積を変化させて収納する空気収納部と、を備えている。前記空気収納部は、可撓性のあるシート状材料によって袋状に形成されており、前記空気収納部の内壁同士が密着しないように、前記空気収納部内の水分若しくは前記空気収納部が萎んだ場合における形態を調整する内壁密着防止手段を設けるものである。
【０００８】
本発明によれば、空気収納部をシート状材料によって袋状に形成することで、汚水貯留槽内の内圧変化に応じて円滑に膨張・縮小し、汚水貯留槽内に汚水が流れ込む場合も汚水貯留槽内の圧力を必要以上に高めることなく、円滑に汚水を受け入れることができる。更に、袋状に構成された空気収納部の内壁同士が密着しないように、空気収納部内の水分若しくは空気収納部が萎んだ場合における形態を調整する内壁密着防止手段を設けることで、汚水貯留槽内の水分が蒸発して空気収納部内に入り込んで結露したとしても、空気収納部の円滑な膨張・縮小を確保することができる。
【０００９】
また本発明に係るトイレ装置では、前記内壁密着防止手段は、前記空気収納部の内部に発生した結露水を、前記空気収納部が萎んだ状態で前記空気排出部を経由して前記汚水貯留槽に排水するのを誘導する排水誘導手段を有する、ことも好ましい。
【００１０】
この好ましい態様では、空気収納部の内部に発生した結露水を、空気排出部を経由して汚水貯留槽に排水するのを誘導する排水誘導手段を設けるので、空気収納部の内壁が密着してしまう原因である結露水を確実に排出し、空気収納部の内壁が密着する原因を直接的に低減することができる。
【００１１】
また本発明に係るトイレ装置では、前記排水誘導手段は、前記空気収納部の底面に前記空気排出部に向けて勾配が形成されるものであることも好ましい。
【００１２】
この好ましい態様では、空気収納部の底面に空気排出部に向かう勾配を設けるという簡単な構成で、確実に空気収納部内の結露水を低減させることができる。
【００１３】
また本発明に係るトイレ装置では、前記勾配は、前記空気収納部の底面の中央側よりも周囲側の方が大きいことも好ましい。
【００１４】
この好ましい態様では、空気収納部の底面の中央側よりも周囲側の方の勾配を大きくすることで、周囲側の結露水を確実に中央側に集めることができ、より密着しやすい空気収納部の外周部分における結露水を確実に排水することができる。
【００１５】
また本発明に係るトイレ装置では、前記排水誘導手段は、前記空気収納部が萎んだ状態において前記空気収納部の底面に前記空気排出部に向けて勾配が形成されるように、前記空気収納部を支持する支持部材を設けてなることも好ましい。
【００１６】
この好ましい態様では、空気収納部の底面に勾配が形成されるように支持部材を設けるので、空気収納部は可撓性のあるシート状材料のみを用いることができ、十分な膨張性・縮小性を確保することができる。更に、支持部材が空気収納部を支持するので、所望の勾配が長期間に渡って形成されるように好適な態様で支持することができる。
【００１７】
また本発明に係るトイレ装置では、前記支持部材は、前記空気収納部の底面を支持する支持トレイであることも好ましい。
【００１８】
この好ましい態様によれば、支持トレイによって空気収納部に勾配を形成するので、空気収納部がより可撓性の高いシート状材料によって形成されたとしても、その空気収納部に確実に所望の勾配を形成することができる。
【００１９】
また本発明に係るトイレ装置では、前記空気排出部は、前記空気収納部の底面の中央に１つ設けられることも好ましい。
【００２０】
この好ましい態様では、空気収納部の底面を画定する外周からの距離を一定に保ちやすくなり、底面の一部に水が溜まることを抑制することができる。
【発明の効果】
【００２１】
本発明によれば、使用を継続した場合であっても袋状の空気収納部が円滑に膨らむことが可能なトイレ装置を提供することができる。
【図面の簡単な説明】
【００２２】
【図１】本発明に係るトイレ装置の好適な一実施形態を示す概略断面図である。
【図２】従来例におけるエアバッグを示す図である。
【図３】図１のエアバッグを示す図である。
【図４】変形例としてのエアバッグを示す図である。
【図５】変形例としてのエアバッグを示す図である。
【図６】変形例としてのエアバッグを示す図である。
【図７】変形例としてのエアバッグを示す図である。
【図８】変形例としてのエアバッグを示す図である。
【図９】変形例としてのエアバッグを示す図である。
【図１０】変形例としてのエアバッグを示す図である。
【発明を実施するための形態】
【００２３】
以下、添付図面を参照しながら本発明の実施の形態について説明する。説明の理解を容易にするため、各図面において同一の構成要素に対しては可能な限り同一の符号を付して、重複する説明は省略する。また、寸法比率は、図示の比率に限定されるものではない。さらに、以下の実施の形態は、本発明を説明するための例示であり、本発明をその実施の形態のみに限定する趣旨ではない。またさらに、本発明は、その要旨を逸脱しない限り、さまざまな変形が可能である。
【００２４】
図１は、本発明の好適な一実施形態である移動式トイレ装置を模式的に示す概略断面図である。尚、本発明の他の実施形態としては、トイレ空間以外の場所に設置可能なトイレ装置であれば、必ずしも移動式である必要はない。図１に示すように、移動式トイレ装置１０は、例えばトイレ室以外の居室空間Ｒ（病室、寝室、居室等の使用者が生活居住等する空間）に設置可能な可搬型（ポータブルタイプ）の便器本体１を備えている。便器本体１は、排便や拭き取り紙といった汚物や尿（屎尿）を一時的に受け止める凹面が形成されてなるボウル部１１と、そのボウル部１１に連通するようにボウル部１１の底部下方から屈曲管状に延在する排水流路１２を有している。
【００２５】
また、便器本体１には、そのボウル部１１に洗浄水を供給するための給水部２が接続されている。この給水部２には、洗浄水の供給及び供給停止を行うための例えば電磁弁等の開閉弁が設けられている。ここで、便器本体１への洗浄水供給方式は、特に制限されず、便器本体１の設置状況や設置場所に応じて適宜選択することができ、例えば、給水部２としてタンクを設け、そのタンクに貯水し、貯めた洗浄水を便器本体１のボウル部１１に流すように構成してもよいし、建築躯体側の水道に直結し、洗浄水として給水を受け、便器本体１のボウル部１１に流すように構成してもよい。このように、給水部２としては、便器本体１に洗浄水を供給するあらゆる手段を採用し得る。
【００２６】
また、排水流路１２は、便器本体１の例えば背面から外部へ延設されており、汚水Ｗを貯留するための例えば槽状の空間を有する汚水貯留部３に接続されている。その排水流路１２の接続端部は、汚水貯留部３の内部空間に開口しており、その開口を開閉するための例えばフラップ弁が設けられていてもよい。さらに、汚水貯留部３には、通気弁３１とエアバッグ３２が設けられている。この通気弁３１としては、汚水Ｗの排出時のみ開放されて汚水貯留部３の内部空間及びそれに連通する排水経路に空気を取り込むことができ、かつ、その後すぐに閉止される弁であれば、特に制限されない。また、エアバッグ３２は、汚水貯留部３の内部空間及びそれに連通する排水経路内の圧力を調整するためのものである。
【００２７】
またさらに、本実施形態においては、汚水貯留部３の内部にパルセータ４１（攪拌手段）、及びポンプ４３（圧送手段）が設けられている。このパルセータ４１は、汚水貯留部３に貯められた汚水Ｗ中の汚物を回転動作によって攪拌しながら粉砕し、ポンプ４３は、その粉砕された汚物を含む汚水Ｗを排水管４２へと圧送する機能を有する。このパルセータ４１は、かかる攪拌、粉砕、及び圧送機能のうち少なくとも攪拌機能を有するものであれば特に制限されず、例えば、モータ及びそれに回動可能に接続された回転軸等の駆動手段、並びに、その駆動手段に接合された底板等の粉砕手段、及びインペラ（羽根）等の圧送手段を有するものが挙げられる（より具体的には、例えば、本出願人による特願２０１１-０５４５９５号明細書に記載された粉砕圧送部２０を好適に用いることができる。なお、本願出願時において未公開であるため、出願番号を記載した。）。
【００２８】
また、排水管４２は、汚水貯留部３に接続される可撓性を有するフレキ管４２ａに、塩ビ管等の直管（不図示）が適宜の継手構造で接続されてなるものであり、この排水管４２を通して、上述の粉砕された汚物を含む汚水Ｗが移送される。このように、パルセータ４１と排水管４２とから、汚水排出部４が構成されている。
【００２９】
一方、上述した便器本体１が設置される居室空間Ｒの建築躯体である壁には、洗面器を有する既存設備としての手洗部（不図示）が設置されている。この手洗部の排水流路（不図示）に、臭気防止継手（不図示）が設けられる。そして、手洗部の排水流路における臭気防止継手の下流側に、上述した排水管４２の直管の端部が接続される。
【００３０】
エアバッグ３２は、可撓性のあるシート状材料によって構成され、その外形は矩形であっても楕円形や円形を含む広義の円形であっても構わないものである。従来は、図２に示すように、汚水貯留部３に連通する連通管３３を屈曲させ、エアバッグ３２の略中央部分に連結し、エアバッグ３２と汚水貯留部３とを空間的に連通させると共にエアバッグ３２を支えていた。図２に示すように、エアバッグ３２に空気が入っていない状態では、連通管３３に支持されている略中央部分を中心として周囲が垂れ下がるような状態となっていた。汚水貯留部３の内部は水があり湿度が高い状態であるので、汚水貯留部３に空間的に連通されているエアバッグ３２内にも湿気が入り込み、温度条件によっては結露し、エアバッグ３２の垂れ下がっている周囲の部分に水が溜まる傾向にあった。エアバッグ３２の周囲は、シート状材料が接合され若しくは折りたたまれている部分であるので、この部分に水分が入り込むとエアバッグ３２内に空気が入ってきても当初の狙い通りにエアバッグ３２が展開されない状態となる。
【００３１】
本実施形態ではこのような従来のエアバッグの課題を解決すべく、図３に示すようなエアバッグ３２及びその支持態様を採用する。図３は、図１に示すエアバッグ及びその近傍を詳細に記載したものである。
【００３２】
図３に示すように、エアバッグ３２の下方にはエアバッグ３２を支える支持トレイ３４が設けられている。支持トレイ３４を設けることで、エアバッグ３２が萎んでもその周囲が垂れ下がることがない。そのため、エアバッグ３２内に結露水が生じてもその結露水は中央に向かって流れ、連通管３３を経由して汚水貯留部３の内部に還流する。
【００３３】
図４は、変形例としてのエアバッグ３２の支持態様を示す図である。図４に示すように、エアバッグ３２を支持するため、エアバッグ３２の外周部分に相当する位置に複数本の支柱３５が設けられている。複数本の支柱３５を設けることで、エアバッグ３２が萎んでもその周囲が垂れ下がることがない。そのため、エアバッグ３２内に結露水が生じてもその結露水は中央に向かって流れ、連通管３３を経由して汚水貯留部３の内部に還流する。
【００３４】
図５は、変形例としてエアバッグ３２の内部に繊維束を設けた態様を示す図である。図５の（Ａ）はエアバッグ３２が萎んだ状態を示し、（Ｂ）はエアバッグ３２が膨らんだ状態を示す。図５に示すように、エアバッグ３２の内部には繊維束３６が設けられており、その一端はエアバッグ３２の外周部分まで到達している。繊維束３６は連通管３３の内部まで引き込まれており、その他端は少なくとも汚水貯留部３の内部に臨む位置まで引き込まれている。エアバッグ３２の内部に結露水が発生すると、繊維束３６の毛細管現象によってその水分が吸い上げられ、連通管３３内を経由して汚水貯留部３の内部に還流する。
【００３５】
図６は、変形例としてのエアバッグ３２Ａを示す図である。図６の（Ａ）はエアバッグ３２Ａが萎んだ状態を示し、（Ｂ）はエアバッグ３２Ａが膨らんだ状態を示す。図６に示すように、エアバッグ３２Ａは、下段側のエアバッグ部分３２Ａａと上段側のエアバッグ部分３２Ａｂとによって構成されている。エアバッグ部分３２Ａａ及びエアバッグ部分３２Ａｂは、可撓性のあるシート状材料によって構成されているけれども、エアバッグ部分３２Ａａの底面３２Ａａ１のみが硬質材料によって形成されている。エアバッグ部分３２Ａａの底面３２Ａａ１は、連通管３３に通じる中央部が最も低くなり、外周が高くなるようにすり鉢状に形成されている。
【００３６】
図７は、変形例としてのエアバッグ３２Ｂを示す図である。図７の（Ａ）はエアバッグ３２Ｂが萎んだ状態を示し、（Ｂ）はエアバッグ３２Ｂが膨らんだ状態を示す。エアバッグ３２Ｂは、図３〜図５に示したエアバッグ３２に代えて使用可能なものである。エアバッグ３２Ｂは、下段側のエアバッグ部分３２Ｂａと上段側のエアバッグ部分３２Ｂｂとによって構成されている。エアバッグ部分３２Ｂａ及びエアバッグ部分３２Ｂｂは、可撓性のあるシート状材料によって構成されている。エアバッグ部分３２Ｂａとエアバッグ部分３２Ｂｂとは、平面視中央部分に形成された連通穴３２Ｂｃによって連通されている。連通穴３２Ｂｃは、エアバッグ部分３２Ｂａと連通管３３との連通部３３ａと重なるように形成されている。上段側のエアバッグ部分３２Ｂｂに生じた結露水が排出されやすいように、エアバッグ３２Ｂが萎んだ場合において、エアバッグ３２Ｂの連通穴３２Ｂｃと連通部３３ａとの位置が最短となる様に配置されていることが好ましい。
【００３７】
図８は、変形例としてのエアバッグ３２の支持態様を示す図である。図５の（Ａ）はエアバッグ３２が萎んだ状態を示し、（Ｂ）はエアバッグ３２が膨らんだ状態を示す。図８では、図３において説明した支持トレイ３４よりも、周囲の勾配が急になっている支持トレイ３４Ａを用いている。支持トレイ３４Ａは、中央側に比較的勾配の緩やかな第１部分３４Ａａが形成され、第１部分３４Ａａを囲むように比較的勾配の急な第２部分３４Ａｂが形成されている。
【００３８】
図９は、変形例としてのエアバッグ３２Ｃを示す図である。図９の（Ａ）はエアバッグ３２Ｃが萎んだ状態を示し、（Ｂ）はエアバッグ３２Ｃが膨らんだ状態を示す。エアバッグ３２Ｃは、萎んだ状態においても内壁が密着しないように工夫をした変形例である。エアバッグ３２Ｃは、下段側のエアバッグ部分３２Ｃａと上段側のエアバッグ部分３２Ｃｂとによって構成されている。エアバッグ部分３２Ｃａ及びエアバッグ部分３２Ｃｂのそれぞれの外周部分には、断面Ｙ字状のスペーサー３２Ｃｃが配置されている。スペーサー３２Ｃｃは、断面Ｙ字状の広がった方がエアバッグ部分３２Ｃａ及びエアバッグ部分３２Ｃｂの内部に当接するように構成されていて、その広がった部分でエアバッグ部分３２Ｃａ及びエアバッグ部分３２Ｃｂの内壁同士を引き離すことで密着しないように構成している。
【００３９】
図１０は、変形例としてのエアバッグ３２Ｄを示す図である。図１０の（Ａ）はエアバッグ３２Ｄが萎んだ状態を示し、（Ｂ）はエアバッグ３２Ｄが膨らんだ状態を示す。エアバッグ３２Ｄは、汚水貯留部３の上面部をエアバッグの一部として利用した変形例である。汚水貯留部３の上面部３７の中央部には、連通路３３Ａが形成されている。上面部３７には、連通路３３Ａが最も低くなるように勾配面３７ａが形成されている。エアバッグ３２Ｄは、下段側のエアバッグ部分３２Ｄａと上段側のエアバッグ部分３２Ｄｂとによって構成されている。エアバッグ部分３２Ｄｂは、勾配面３７ａが底面となるように勾配面３７ａの周囲に接合されている。
【００４０】
本実施形態に係る移動式トイレ装置１０は、汚物を洗浄水と共に汚水として攪拌し、流動性を高めた状態で圧送して排出する移動式トイレ装置であって、（１）便器本体１から排出された汚水を貯留する汚水貯留部３（汚水貯留槽）と、（２）汚水貯留部３内と連通し、汚水貯留部３内に汚水を流入させる際に汚水貯留部３内の空気の一部を排出する連通管３３及び連通路３３Ａ（空気排出部）と、（３）連通管３３及び連通路３３Ａから排出された空気を内部の容積を変化させて収納するエアバッグ３２，３２Ａ，３２Ｂ，３２Ｃ，３２Ｄ（空気収納部）と、を備えている。エアバッグ３２，３２Ａ，３２Ｂ，３２Ｃ，３２Ｄは、可撓性のあるシート状材料によって袋状に形成されており、エアバッグ３２，３２Ａ，３２Ｂ，３２Ｃ，３２Ｄの内壁同士が密着しないように、それら内部の水分若しくはそれらが萎んだ場合における形態を調整する内壁密着防止手段（支持トレイ３４、支柱３５、繊維束３６、底面３２Ａａ１、支持トレイ３４Ａ、スペーサー３２Ｃｃ、勾配面３７ａ）を設けるものである。
【００４１】
本実施形態によれば、エアバッグ３２，３２Ａ，３２Ｂ，３２Ｃ，３２Ｄをシート状材料によって袋状に形成することで、汚水貯留部３内の内圧変化に応じて円滑に膨張・縮小し、汚水貯留部３内に汚水が流れ込む場合も汚水貯留部３内の圧力を必要以上に高めることなく、円滑に汚水を受け入れることができる。更に、袋状に構成されたエアバッグ３２，３２Ａ，３２Ｂ，３２Ｃ，３２Ｄの内壁同士が密着しないように、それら内部の水分若しくはそれらが萎んだ場合における形態を調整する内壁密着防止手段（上記参照）を設けることで、汚水貯留部３内の水分が蒸発してエアバッグ３２，３２Ａ，３２Ｂ，３２Ｃ，３２Ｄ内に入り込んで結露したとしても、エアバッグ３２，３２Ａ，３２Ｂ，３２Ｃ，３２Ｄの円滑な膨張・縮小を確保することができる。
【００４２】
また、内壁密着防止手段としては、エアバッグ３２，３２Ａ，３２Ｂ，３２Ｄの内部に発生した結露水を、エアバッグ３２，３２Ａ，３２Ｂ，３２Ｄが萎んだ状態で空気排出部である連通管３３及び連通路３３Ａを経由して汚水貯留部３に排水するのを誘導する排水誘導手段（支持トレイ３４、支柱３５、繊維束３６、底面３２Ａａ１、支持トレイ３４Ａ、勾配面３７ａ）であることが好ましい。
【００４３】
エアバッグ３２，３２Ａ，３２Ｂ，３２Ｄの内部に発生した結露水を、空気排出部である連通管３３及び連通路３３Ａを経由して汚水貯留部３に排水するのを誘導する排水誘導手段を設けるので、エアバッグ３２，３２Ａ，３２Ｂ，３２Ｄの内壁が密着してしまう原因である結露水を確実に排出し、エアバッグ３２，３２Ａ，３２Ｂ，３２Ｄの内壁が密着する原因を直接的に低減することができる。
【００４４】
また、排水誘導手段としては、エアバッグ３２，３２Ａ，３２Ｂ，３２Ｄの底面に空気排出部である連通管３３及び連通路３３Ａに向けて勾配が形成されるものであることも好ましい。
【００４５】
エアバッグ３２，３２Ａ，３２Ｂ，３２Ｄの底面に空気排出部である連通管３３及び連通路３３Ａに向かう勾配を設けるという簡単な構成で、確実にエアバッグ３２，３２Ａ，３２Ｂ，３２Ｄ内の結露水を低減させることができる。
【００４６】
また、その勾配は、支持トレイ３４Ａのように、エアバッグ３２の底面の中央側よりも周囲側の方が大きいことも好ましい。
【００４７】
この好ましい態様では、エアバッグ３２の底面の中央側よりも周囲側の方の勾配を大きくすることで、周囲側の結露水を確実に中央側に集めることができ、より密着しやすいエアバッグ３２の外周部分における結露水を確実に排水することができる。
【００４８】
また、排水誘導手段としては、エアバッグ３２，３２Ａ，３２Ｂが萎んだ状態においてエアバッグ３２，３２Ａ，３２Ｂの底面に空気排出部である連通管３３に向けて勾配が形成されるように、エアバッグ３２，３２Ａ，３２Ｂを支持する支持部材である支持トレイ３４、支柱３５、支持トレイ３４Ａを設けてなることも好ましい。
【００４９】
この好ましい態様では、エアバッグ３２，３２Ａ，３２Ｂの底面に勾配が形成されるように支持部材を設けるので、エアバッグ３２，３２Ａ，３２Ｂは可撓性のあるシート状材料のみを用いることができ、十分な膨張性・縮小性を確保することができる。更に、支持部材である支持トレイ３４、支柱３５、支持トレイ３４Ａがエアバッグ３２，３２Ａ，３２Ｂを支持するので、所望の勾配が長期間に渡って形成されるように好適な態様で支持することができる。
【００５０】
また、支持部材は、エアバッグ３２，３２Ａ，３２Ｂの底面を支持する支持トレイ３４、支持トレイ３４Ａであることも好ましい。
【００５１】
この好ましい態様によれば、支持トレイ３４、支持トレイ３４Ａによってエアバッグ３２，３２Ａ，３２Ｂに勾配を形成するので、エアバッグ３２，３２Ａ，３２Ｂがより可撓性の高いシート状材料によって形成されたとしても、そのエアバッグ３２，３２Ａ，３２Ｂに確実に所望の勾配を形成することができる。
【００５２】
また、空気排出部である連通管３３及び連通路３３Ａは、エアバッグ３２，３２Ａ，３２Ｂ，３２Ｄの底面の中央に１つ設けられることも好ましい。
【００５３】
この好ましい態様では、エアバッグ３２，３２Ａ，３２Ｂ，３２Ｄ内の底面を画定する外周からの距離を一定に保ちやすくなり、底面の一部に水が溜まることを抑制することができる。
【符号の説明】
【００５４】
１：便器本体
２：給水部
３：汚水貯留部
４：汚水排出部
１０：移動式トイレ装置
１１：ボウル部
１２：排水流路
２０：粉砕圧送部
３１：通気弁
３２，３２Ａ，３２Ｂ，３２Ｃ，３２Ｄ：エアバッグ
３２Ａａ：エアバッグ部分
３２Ａａ１：底面
３２Ａｂ：エアバッグ部分
３２Ｂａ：エアバッグ部分
３２Ｂｂ：エアバッグ部分
３２Ｂｃ：連通穴
３２Ｃａ：エアバッグ部分
３２Ｃｂ：エアバッグ部分
３２Ｃｃ：スペーサー
３２Ｄａ：エアバッグ部分
３２Ｄｂ：エアバッグ部分
３３：連通管
３３Ａ：連通路
３３ａ：連通部
３４：支持トレイ
３４Ａ：支持トレイ
３４Ａａ：第１部分
３４Ａｂ：第２部分
３５：支柱
３６：繊維束
３７：上面部
３７ａ：勾配面
４１：パルセータ
４２：排水管
４２ａ：フレキ管
４３：ポンプ
Ｒ：居室空間
Ｗ：汚水
【図１】
2014070334.tif 000003
【図２】
2014070334.tif 000004
【図３】
2014070334.tif 000005
【図４】
2014070334.tif 000006
【図５】
2014070334.tif 000007
【図６】
2014070334.tif 000008
【図７】
2014070334.tif 000009
【図８】
2014070334.tif 000010
【図９】
2014070334.tif 000011
【図１０】
2014070334.tif 000012